(57)【特許請求の範囲】
【請求項１】
表示部と、
操作部と、
外部通信装置から、インターネット上にて流通している第１情報を受信可能な通信部と、
前記第１情報に含まれ、文字入力候補となりうる情報を、記憶する記憶部と、
前記操作部によって文字入力画面が表示されてから、前記文字入力候補を含む階層に分けられたカテゴリの一覧を上位階層から前記表示部に表示させると共に、前記操作部により選択された前記階層に含まれる文字入力候補を文字入力として受け付ける制御部と、を備える通信機器。
【請求項２】
前記表示部には、最上位の階層から一のカテゴリが選択された後に、当該選択された一のカテゴリ内に含まれる下位の階層のカテゴリが表示される請求項１に記載の通信機器。
【発明の詳細な説明】
【技術分野】
【０００１】
本発明は、携帯電話機等の通信機器に関する。詳細には、文字入力機能を有する通信機器に関する。
【背景技術】
【０００２】
従来、通信機器としての携帯電話機において、Ｅメール等の文字入力が必要な機能が搭載されている。携帯電話機において、Ｅメール等で文字入力して文章を作成する際に、文字入力を補助する機能が併せて搭載されている。
【０００３】
このような文字入力を補助する機能の一つに、記憶部に記憶されている保存情報を引用して文字入力を補助するという機能が提案されている（例えば特許文献１参照）。特許文献１の機能によれば、携帯電話機における記憶部に保存されている文字情報を加工せずに作成中の文章に挿入等することにより、ユーザの負担を軽減して簡単にメールを作成することができる。
【先行技術文献】
【特許文献】
【０００４】
【特許文献１】特開２００５−０４４２７１号公報
【発明の概要】
【発明が解決しようとする課題】
【０００５】
しかし、特許文献１の機能において利用される保存情報は、各ユーザにおける文字入力の態様に全く関係なく記憶されている情報であることが多々にしてある。つまり、特許文献１の機能において利用される保存情報は、ユーザによっては、文字入力操作の際に全く利用されない情報であるという可能性があった。
【０００６】
また、特許文献１の機能においては、携帯電話機に記憶される保存情報は、なんら加工されることなく単に入力中の文章に挿入されるだけである。この場合、文字入力に際して利用できるのは、単語や短い文章に限定される場合があった。また、この場合、文字入力に際して長い文章を利用するためには、長い文書を抜き出して貼り付ける作業が必要になるという問題があった。
【０００７】
本発明は、文字入力機能における利便性が向上された通信機器を提供することを目的とする。
【課題を解決するための手段】
【０００８】
本発明における通信機器は、表示部と、操作部と、外部通信装置から、インターネット上にて流通している第１情報を受信可能な通信部と、前記第１情報に含まれ、文字入力候補となりうる情報を、記憶する記憶部と、前記操作部によって文字入力画面が表示されてから、前記文字入力候補を含む階層に分けられたカテゴリの一覧を上位階層から前記表示部に表示させると共に、前記操作部により選択された前記階層に含まれる文字入力候補を文字入力として受け付ける制御部と、を備える構成である。
【０００９】
通信機器では、前記表示部には、最上位の階層から一のカテゴリが選択された後に、当該選択された一のカテゴリ内に含まれる下位の階層のカテゴリが表示されてもよい。
【発明の効果】
【００１０】
本発明によれば、文字入力機能における利便性が向上された通信機器を提供することができる。
【図面の簡単な説明】
【００１１】
【図１】携帯電話機を含むネットワークシステムを説明する図である。
【図２】携帯電話機を開いた状態における正面斜視図である。
【図３】携帯電話機の回路ブロック図である。
【図４】携帯電話機１における機能ブロック図である。
【図５】メモリに記憶されるカテゴリ―第２情報ＤＢの内容を示す図である。
【図６】携帯電話機における動作を説明するフローチャート図である。
【図７】通信部により受信した第１情報が解析されて第２情報として記憶される流れを説明する図である。
【図８】文字入力の際に第２情報を含むネットワーク情報から文字列を引用した状態を説明する図である。
【図９】文字入力の際に大カテゴリとしてニュースを選択した状態を説明する図である。
【図１０】文字入力に際し小カテゴリとして天気を選択した状態を説明する図である。
【図１１】文字入力に際し天気と関連付けて記憶された第２情報が入力候補として表示された状態を説明する図である。
【図１２】入力候補として表示された第２情報が作成中の文書に入力された状態を説明する図である。
【発明を実施するための形態】
【００１２】
以下、図面を参照して本発明を実施するための最良の形態を説明する。
まず、図１から図９により、通信機器としての携帯電話機１について説明する。図１は、携帯電話機１を含むネットワークシステムＮＳを説明する図である。
図１に示すように、本実施形態におけるネットワークシステムＮＳは、各種情報を有するサーバＳと、ネットワークＮを介してサーバＳと接続される外部通信装置としての基地局Ｂと、基地局Ｂからの情報を受信可能な携帯電話機１と、を備える。
【００１３】
ここで、携帯電話機１は、基地局Ｂを介して他の携帯電話機と通話・通信可能であると共に、基地局Ｂを介してＢＣＭＣＳ（Ｂｒｏａｄｃａｓｔ／Ｍｕｌｔｉｃａｓｔ  Ｓｅｒｖｉｃｅｓ）で配信される第１情報としての各種情報（ニュース、天気予報、占い情報、株価情報等）を受信可能に構成される。ここで、ＢＣＭＣＳとは、同じデータを多数のユーザに対し、一斉同時配信（マルチキャスト）できる機能をいう。
【００１４】
次いで、図２及び図３により、携帯電話機１における第１実施形態について説明する。図２は、携帯電話機１を開いた状態における正面斜視図である。図３は、携帯電話機１の回路ブロック図である。
【００１５】
図２に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能である。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１６】
操作部側筐体２は、外面がフロントケース２ａとリアケース２ｂとにより構成される。操作部側筐体２は、フロントケース２ａ側に、操作キー群１１と、携帯電話機１の使用者が通話時に発した音声が入力されるマイク１２とがそれぞれ露出するように構成される。
【００１７】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。決定操作キー１５は、環状キー１５ａと、円状キー１５ｂとにより構成される。操作キー群１１を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００１８】
マイク１２は、操作部側筐体２の長手方向における連結部４側と反対の外端部側に配置される。つまり、マイク１２は、携帯電話機１が開状態において一方の外端部側に配置される。
【００１９】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキー１６と、外部メモリの挿入及び取り出しが行われるインターフェース（図示せず）とが配置される。インターフェースは、キャップ１７により覆われている。
【００２０】
表示部側筐体３は、外面がフロントケース３ａとリアケース３ｂとにより構成される。表示部側筐体３におけるフロントケース３ａには、各種情報を表示するためのＬＣＤ表示部２１（表示部）と、通話の相手側の音声を出力するレシーバとしてのスピーカ２２と、が露出するように配置される。
【００２１】
ＬＣＤ表示部２１は、液晶パネルと、この液晶パネルを駆動する駆動回路と、この液晶パネルの背面側から光を照射するバックライト等の光源部とにより構成される。
【００２２】
ＬＣＤ表示部２１には、受信した電子メールの内容、電子メールに添付された画像データに基づく画像、特定のアイコンや電子メールの受信を報知する受信表示等が表示される。
【００２３】
なお、本実施形態においては、連結部４により折り畳み可能な携帯電話機１の説明をしているが、このような折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターンタイプ）式や、操作部側筐体２と表示部側筐体３とが一つの筐体に配置され連結部を有さない型式（ストレートタイプ）でもよい。
【００２４】
次に、図３により、携帯電話機１の回路構成について説明する。
図３に示すように、操作部側筐体２に配置される操作部１０１と、マイク１２と、メインアンテナ４０と、ＲＦ回路部４１と、ＬＣＤ制御部４２と、音声処理部４３と、メモリ４４と、ＣＰＵ４５と、電源部４６と、制御ＩＣ４７と、表示部側筐体３に配置されるＬＣＤ表示部２１と、スピーカ２２と、ドライバＩＣ２５とを備える。
【００２５】
通信部を構成するメインアンテナ４０は、所定の使用周波数帯（例えば、８００ＭＨｚ）で外部装置としての基地局Ｂと通信を行う。携帯電話機１は、メインアンテナ４０を介して音声通話や電子メールの送受信を行うほか、ＢＣＭＣＳで配信される各種情報を受信する。
【００２６】
本実施形態では、所定の使用周波数帯を８００ＭＨｚとしたが、異なる他の周波数帯であってもよい。また、メインアンテナ４０は、所定の使用周波数帯だけでなく、他の使用周波数帯（例えば、２ＧＨｚ）にも対応できるいわゆるデュアルバンド対応型による構成であってもよい。
【００２７】
ＲＦ回路部４１は、メインアンテナ４０によって受信した信号を復調処理し、処理後の信号をＣＰＵ４５に供給すると共に、ＣＰＵ４５から供給された信号を変調処理し、メインアンテナ４０を介して基地局Ｂに送信するよう構成される。
【００２８】
制御部としてのＣＰＵ４５は、携帯電話機１の全体を制御する。ＣＰＵ４５は、特に、ＲＦ回路部４１、ＬＣＤ制御部４２及び音声処理部４３に対して所定の制御を行う。ＣＰＵ４５は上述のように各部を制御すると共に、後述する形態素解析処理や該形態素解析処置された文字列等である第２情報を所定のカテゴリに分類する。具体的には、ＣＰＵ４５は、後述する解析部としての形態素解析部２１１と、カテゴリ分類部２１３と、入力候補抽出部２１５と、選択部２１７と、入力部２１９とを有する。
【００２９】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングでＬＣＤ表示部２１に出力する。
【００３０】
ＬＣＤ表示部２１は、ドライバＩＣ２５から入力されたデータに基づいて、所定の文字や画像を表示する。ＬＣＤ表示部２１には、ＣＰＵ４５の制御にしたがって、後述するＢＣＭＣＳで配信される第１情報としての各種情報や、各種情報が形態素解析された結果得られる第２情報や、操作キー群１１を有する操作部１０１による文字列入力画面が表示される。
【００３１】
メモリ４４は、所定のデータが記憶される。具体的には、メモリ４４には、各種機能プログラムや、ユーザのプロフィール情報や、通信時に利用されるアドレス情報等のほか、ＢＣＭＣＳで配信された第１情報や、上述の第２情報等が記憶される。第２情報は、所定のカテゴリに関連付けられて記憶される。メモリ４４は、後述する第１情報記憶部２０１と、第２情報記憶部２０３（記憶部）と、プロフィール情報記憶部２０５と、アドレス帳情報記憶部２０７と、を有する。
【００３２】
音声処理部４３は、ＣＰＵ４５の制御にしたがって、ＲＦ回路部４１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号をＲＦ回路部４１に出力する。ＲＦ回路部４１は、音声処理部４３から入力された信号に所定の処理を行うと共に、処理がされた信号をメインアンテナ４０に出力する。
【００３３】
電源部４６は、不図示のバッテリを有して構成される。バッテリは、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００３４】
図４及び図５により、携帯電話機１における機能について説明する。
図４は、携帯電話機１における機能ブロック図である。図５は、メモリ４４に記憶されるカテゴリ―第２情報ＤＢ２０４の内容を示す図である。
【００３５】
図４に示すように、携帯電話機１は、メインアンテナ４０を含む通信部２００と、メモリ４４に含まれる第１情報記憶部２０１と、第２情報記憶部２０３と、プロフィール情報記憶部２０５と、アドレス帳情報記憶部２０７と、ＣＰＵ４５に含まれる解析部としての形態素解析部２１１と、カテゴリ分類部２１３と、入力候補抽出部２１５と、選択部２１７と、入力部２１９と、操作部１０１と、ＬＣＤ表示部２１と、を有して構成される。
【００３６】
通信部２００は、メインアンテナ４０及びＲＦ回路部４１やＣＰＵ４５の一部を含んで構成される。通信部２００は、音声通話や電子メールの送受信を行うほか、ＢＣＭＣＳで配信される第１情報としての各種情報を受信する。
【００３７】
第１情報記憶部２０１は、通信部２００により受信された第１情報としての各種情報を記憶する。第１情報記憶部２０１に記憶される第１情報は、後述する形態素解析部２１１により解析される。
【００３８】
第２情報記憶部２０３（記憶部）は、第１情報が形態素解析された解析結果より抽出された第２情報を記憶する。第２情報記憶部２０３は、第２情報とカテゴリとを関連付けて記憶する。具体的には、第２情報記憶部２０３は、第２情報とカテゴリとを関連付けて記憶するカテゴリ―第２情報ＤＢ２０４を有する。
【００３９】
カテゴリ―第２情報ＤＢ２０４は、図５に示すように、大カテゴリの内容を示す大カテゴリ欄２３１と、大カテゴリに含まれる小カテゴリの内容を示す小カテゴリ欄２３３と、第２情報の内容を示す第２情報欄２３５と、を有する。第２情報は、大カテゴリ及び小カテゴリに関連付けられて記憶される。
【００４０】
プロフィール情報記憶部２０５は、予め記憶されたユーザに関する情報であるプロフィール情報が記憶される。
また、アドレス帳情報記憶部２０７は、ユーザにより登録された複数人のアドレス情報を有するアドレス帳に関する情報を記憶する。
プロフィール情報記憶部２０５に記憶される情報及びアドレス帳情報記憶部２０７に記憶される情報は、上述の第２情報記憶部２０３に記憶される第２情報と共に、文字入力の際に入力候補として抽出される対象となる。
【００４１】
形態素解析部２１１は、第１情報記憶部２０１に記憶される第１情報を形態素解析により解析すると共に、該解析結果に基づいて複数の第２情報を抽出（生成）する。形態素解析部２１１は、ＢＣＭＣＳで配信され第１情報記憶部２０１に記憶される第１情報を形態素解析処理する。形態素解析部２１１は、第１情報における解析結果から第２情報が抽出（生成）する。形態素解析とは、文を名詞、助詞、動詞等の複数の素に分け、これを判別する機能のことである。ここで、第２情報は、形態素解析された名詞や助詞等だけでなく、これらを組み合わせた文字列や文書を含むものである。
【００４２】
カテゴリ分類部２１３は、形態素解析部２１１により生成された第２情報を複数のカテゴリにおける所定のカテゴリに分類する。カテゴリ分類部２１３により所定のカテゴリに分類された第２情報は、第２情報記憶部２０３において分類された所定のカテゴリに関連付けて記憶される。
【００４３】
ここで、形態素解析部２１１及びカテゴリ分類部２１３は、通信部２００により新たな第１情報を受信した場合、受信した新たな第１情報に基づいて第２情報を抽出（生成）すると共に、所定のカテゴリに分類する。第２情報記憶部２０３に記憶される第２情報は、新たに抽出（生成）された第２情報に更新される。
【００４４】
また、ＬＣＤ表示部２１に所定の第２情報が表示されている状態において、第２情報記憶部２０３に記憶される第２情報が新たな第２情報に更新された場合、後述の入力候補抽出部２１５は、第２情報記憶部２０３における更新された新たな第２情報に基づいて入力候補を更新する。そして、ＬＣＤ表示部２１に表示された入力候補としての第２情報は、新たな第２情報に更新される。
【００４５】
入力候補抽出部２１５は、操作部１０１による文字入力の際にメモリ４４に記憶される所定の情報を入力候補として抽出する。具体的には、入力候補抽出部２１５は、プロフィール情報記憶部２０５に記憶される情報やアドレス帳情報記憶部２０７に記憶される情報のほか、第２情報記憶部２０３に記憶される第２情報を入力候補として抽出する。更に具体的には、入力候補抽出部２１５は、ユーザからの指示に基づいて、第２情報を所定の大カテゴリ及び小カテゴリごと限定しながら入力候補を抽出する。
入力候補抽出部２１５により抽出された第２情報は、ＬＣＤ表示部２１に入力候補として表示される。
【００４６】
選択部２１７は、ＬＣＤ表示部２１に表示された複数の入力候補におけるいずれかの入力候補を選択する。選択部２１７は、入力候補としてＬＣＤ表示部２１に表示された所定の第２情報を選択する。選択部２１７は、後述する入力部２１９により文字入力される第２情報を選択する。具体的には、選択部２１７は、ＬＣＤ表示部２１に表示された入力候補のうち操作部１０１による操作で移動されたカーソル４００が重ねられた入力候補を選択する（図１１参照）。
【００４７】
入力部２１９は、選択部２１７により選択された所定の第２情報を文字入力として受け付ける。入力部２１９は、例えば、操作部１０１における所定のキー（入力確定キー）が押下された場合、選択部２１７により選択された入力候補としての第２情報について文字入力を受け付ける。入力部２１９により入力が受け付けられた入力候補としての第２情報は、所定の文章を構成する文字列として入力される。つまり、入力部２１９により選択された所定の第２情報の入力が受け付けられた場合、作成中の文章に該入力が受け付けられた第２情報が挿入される。
【００４８】
操作部１０１は、操作キー群１１を有する。操作部１０１は、操作キー群１１を構成する所定のキーを押下げることで、該所定のキーに割り当てられる機能が実行される。また、操作部１０１は、メール機能等が起動されている状態で文字入力を外部より受け付け、ユーザによる所定の文書の作成を支援する。具体的には、操作部１０１は、文字入力に際し、ＬＣＤ表示部２１に表示された複数の入力候補（第２情報）から所定の入力候補を選択すると共に、入力確定キー（例えば、円状キー１５ｂにキー・アサインされている）が押下げられることで、選択された文字列の入力を確定させることができる。
【００４９】
ＬＣＤ表示部２１は、各種情報を表示可能に構成される。ＬＣＤ表示部２１は、入力候補抽出部２１５により入力候補として抽出された文字列を表示可能に構成される。具体的には、ＬＣＤ表示部２１は、入力候補抽出部２１５により入力候補として抽出された第２情報記憶部２０３に記憶される第２情報を表示可能に構成される。ＬＣＤ表示部２１は、カーソル４００が該所定の第２情報に重なることで所定の第２情報が選択されたことを認識可能に表示する。そして、選択された所定の第２情報の入力が受け付けられた場合、ＬＣＤ表示部２１には、該入力が受け付けられた第２情報が挿入された文書が表示される。
【００５０】
続けて、図６から図１２により、携帯電話機１における動作について説明する。
図６は、携帯電話機１における動作を説明するフローチャート図である。図７は、通信部２００により受信した第１情報Ｉ１が解析されて第２情報として記憶される流れを説明する図である。図８は、文字入力の際に第２情報を含むネットワーク情報から文字列を引用した状態を説明する図である。図９は、文字入力の際に大カテゴリとしてニュース３１０ｂを選択した状態を説明する図である。図１０は、文字入力に際し小カテゴリとして天気３２０ａを選択した状態を説明する図である。図１１は、文字入力に際し天気３２０ａと関連付けて記憶された第２情報が入力候補として表示された状態を説明する図である。図１２は、入力候補として表示された第２情報Ｉ２が作成中の文書に入力された状態を説明する図である。
【００５１】
図６及び図７に示すように、まず、携帯電話機１が通信部２００により第１情報Ｉ１を受信した場合（ＳＴ１、Ｙｅｓ）、ＣＰＵ４５に含まれる形態素解析部２１１は、第１情報Ｉ１を形態素解析する（ＳＴ２）。ここで、第１情報Ｉ１は、ＢＣＭＣＳで配信されるニュース等の文章で構成される情報である。形態素解析部２１１により第１情報Ｉ１が形態素解析されることで、第２情報Ｉ２が生成される（ＳＴ３）。
【００５２】
次いで、第２情報Ｉ２は、カテゴリ分類部２１３により所定のカテゴリに分類される（ＳＴ４）。具体的には、第２情報Ｉ２は、大カテゴリがニュースのカテゴリに分類され、小カテゴリが天気のカテゴリに分類される。この分類された第２情報Ｉ２は、第２情報記憶部２０３に上述の分類と関連付けられて記憶される（ＳＴ５）。
【００５３】
続けて、図６及び図８に示すように、操作部１０１により文字入力が開始された場合（ＳＴ６、Ｙｅｓ）、文字入力画面３００が表示される（ＳＴ７）と共に、引用メニュー３０１が表示される。ユーザによる操作部１０１の操作により、引用メニュー３０１から文字入力の際に引用したい情報としてネットワーク情報３０１ｃが選択される（ＳＴ８）。
【００５４】
続けて、図６及び図９に示すように、ユーザによる操作部１０１の操作により、ネットワーク情報３１０から文字入力の際に引用したい情報の大カテゴリとしてニュース３１０ｂが選択される（ＳＴ９）。
【００５５】
続けて、図６及び図１０に示すように、ユーザによる操作部１０１の操作により、ニュース３１０ｂから文字入力の際に引用したい情報の小カテゴリとして天気３２０ａが選択される（ＳＴ１０）。これにより、図６及び図１１に示すように、ＬＣＤ表示部２１に入力候補として天気３２０ａと関連して記憶される第２情報が文字入力画面３００と並行して表示される（ＳＴ１１）。ユーザによる操作部１０１の操作により、入力候補として表示される第２情報Ｉ２のうち所定の第２情報３３０ｃを選択すると共に、確定キーを押下げることで該選択した所定の第２情報３３０ｃの入力を確定させる（ＳＴ１３）。
【００５６】
そして、図６及び図１２に示すように、選択された所定の第２情報３３０ｃの入力が確定されたことで、文字入力画面３００において作成中の文書に該選択・入力された所定の第２情報３３０ｃが入力される。
【００５７】
本実施形態によれば、ユーザに使用される文字列が入力候補として表示されるので、文字入力機能における利便性が向上された携帯電話機１を提供することができる。
【００５８】
また、本実施形態によれば、不要な情報を記憶しなくてよいので、携帯電話機１における記憶容量が節約できる。
【００５９】
また、本実施形態によれば、ＣＰＵ４５は、通信部２００を介してメモリ４４に格納されている第２情報を常に情報を最新の状態に保つことが可能となる。従って、本発明は、ユーザに対して常に新しい情報に基づいた文字入力環境を提供することを可能とする。
【００６０】
また、本実施形態によれば、文字入力操作が行われている最中においても、ユーザは最新の情報を知ることが可能となる。従って、インターネット等の電気通信回線に流通している情報に基づいてユーザが文字入力を行いたいと欲したとき、ユーザは携帯電話機１に搭載されている文字入力機能をオフにせずとも、インターネット上に流通している情報を知ることが可能となる。そして同時に、ユーザは、当該インターネット上に流通している情報を、従来に比して簡便に文字入力に用いることが可能となる。
【００６１】
また、本実施形態によれば、入力候補としての第２情報をカテゴリごとに分類して表示できるので、ユーザが利用したい入力候補を好適に表示させることができる。
【００６２】
また、本実施形態によれば、第１情報を形態素解析したので、入力候補としての第２情報は、名詞や助詞ごとに表示させることができる。
【００６３】
以上、好適な実施形態について説明したが、本発明は上述した実施形態に限定されることなく種々の形態で実施することができる。例えば、本実施形態において、通信機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。また、インターネット等の電気通信回線に接続された機器であれば、例えばデスクトップ型のパソコン、ワードプロセッサー、オーディオコンポ等の通信機能を備えた電子機器であってもよい。
【００６４】
また、本実施形態において、ヒンジ機構により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式でもよい。また、携帯電話機１は、いわゆる２軸ヒンジタイプであってもよい。
【００６５】
また、本実施形態において、第１情報として、ＢＣＭＣＳで配信される情報について説明したが、これに限定されず、例えば、定期的に受信されるメールマガジンや、メーリングリスト等により受信された情報であってもよい。
【符号の説明】
【００６６】
１        携帯電話機
２１      ＬＣＤ表示部
４４      メモリ
４５      ＣＰＵ
１０１    操作部
２００    通信部
２０１    第１情報記憶部
２０３    第２情報記憶部
２１１    形態素解析部
２１３    カテゴリ分類部
２１５    入力候補抽出部
２１７    選択部
２１９    入力部
ＮＳ      ネットワークシステム
Ｂ        基地局
【図１】
0005536156.tif 000002
【図２】
0005536156.tif 000003
【図３】
0005536156.tif 000004
【図４】
0005536156.tif 000005
【図５】
0005536156.tif 000006
【図６】
0005536156.tif 000007
【図７】
0005536156.tif 000008
【図８】
0005536156.tif 000009
【図９】
0005536156.tif 000010
【図１０】
0005536156.tif 000011
【図１１】
0005536156.tif 000012
【図１２】
0005536156.tif 000013